(57)【要約】【課題】採光部を設けた構成であっても高い断熱性能とメンテナンス性を確保しつつ、コストを低減することができるドアを提供する。【解決手段】ドア１０は、室外側に配置される外表面材１２と室内側に配置される内表面材１４との間に断熱材１６を配設し、外表面材１２と内表面材１４とを貫通する開口部２０に採光部１８を設けた構成である。採光部１８は、開口部２０を囲むように配置される框体２２と、外周縁部が框体２２に保持されて開口部２０に配置される面材２４とを備える。框体２２は、外表面材１２の内面１２ａに室外側見付け面３０が固着されると共に、内表面材１４の内面１４ａに室内側見付け面３１が固着され、面材２４の室外側側面を保持する額縁部材２６と、額縁部材２６の室内側に装着され、面材２４の室内側側面を保持する押縁２８とを有する。【選択図】図２
2019015060.tif 000002
【特許請求の範囲】
【請求項１】
室外側に配置される外表面材と室内側に配置される内表面材との間に断熱材を配設し、前記外表面材と前記内表面材とを貫通する開口部に採光部を設けたドアであって、
前記採光部は、前記開口部を囲むように配置される框体と、
外周縁部が前記框体に保持されて前記開口部に配置される面材と、を備え、
前記框体は、前記外表面材の内面に室外側見付け面が固着されると共に、前記内表面材の内面に室内側見付け面が固着され、前記面材の室外側側面を保持する額縁部材と、
前記額縁部材の室内側に装着され、前記面材の室内側側面を保持する押縁と、を有することを特徴とするドア。
【請求項２】
請求項１に記載のドアにおいて、
前記額縁部材は、前記内表面材の内面に固定され、その表面が前記室内側見付け面となる内側固定片を有し、
前記押縁は、前記内側固定片が固着された前記内表面材の端部と前記内側固定片とを挟み込んだ状態で、前記内表面材の端部と前記内側固定片とに対して係合される係合部を有することを特徴とするドア。
【請求項３】
請求項２に記載のドアにおいて、
前記係合部は、前記内表面材の外面に沿って延びて該外面に当接配置される係合片と、該係合片との間に前記内表面材の端部と前記内側固定片とを挟み込んだ状態で前記内側固定片の端部に係止される係合爪と、を有することを特徴とするドア。
【請求項４】
請求項２又は３に記載のドアにおいて、
前記押縁は、前記係合部が前記内表面材及び前記内側固定片に対して係合した状態で、前記内側固定片よりも室外側へと突出する突出片を有し、
前記額縁部材は、前記突出片に対して前記開口部の内周側から当接する当接片を有することを特徴とするドア。
【請求項５】
請求項３に記載のドアにおいて、
当該ドアを前記額縁部材の長手方向と直交する方向で切断した断面で見た場合に、前記係合片は、前記額縁部材と前記断熱材との境界に重なる位置まで前記内表面材の外面に沿って延在していることを特徴とするドア。
【発明の詳細な説明】
【技術分野】
【０００１】
本発明は、採光部を設けたドアに関する。
【背景技術】
【０００２】
玄関ドアのように建物の開口部を仕切るドアは、室内外一対の表面材の間に断熱材を配設した断熱構造が広く用いられている。この種のドアでは、デザイン性や採光性を考慮し、一対の表面材を厚み方向に貫通する開口部に採光部を設けた構造が採用されることがある（例えば特許文献１参照）。
【０００３】
特許文献１のドアは、室外側ガラス押さえ部材と室内側ガラス押さえ部材とで一対の表面材及びガラス板を同時に挟み込み、室内外の押さえ部材間をねじ締結することで採光部を構成している。
【先行技術文献】
【特許文献】
【０００４】
【特許文献１】特開２０１５−８６６５８号公報
【発明の概要】
【発明が解決しようとする課題】
【０００５】
ところが、上記特許文献１の構成は、室内外のガラス押さえ部材間を十分な強度でねじ締結する必要があるため、室外側ガラス押さえ部材が金属（アルミニウム）で形成されており、採光部での断熱性能が低下する。さらにこの構成では、室内外のガラス押さえ部材間を締結するねじを隠すため、室内側ガラス押さえ部材を覆い隠す化粧材を設けている。このため、部品点数が増加して製造コストが上昇する。一方、ガラス交換等のメンテナンス性を考慮すると、室内外のガラス押さえ部材を一体に形成することは好ましくない。
【０００６】
本発明は、上記従来技術の課題を考慮してなされたものであり、採光部を設けた構成であっても高い断熱性能とメンテナンス性を確保しつつ、コストを低減することができるドアを提供することを目的とする。
【課題を解決するための手段】
【０００７】
本発明に係るドアは、室外側に配置される外表面材と室内側に配置される内表面材との間に断熱材を配設し、前記外表面材と前記内表面材とを貫通する開口部に採光部を設けたドアであって、前記採光部は、前記開口部を囲むように配置される框体と、外周縁部が前記框体に保持されて前記開口部に配置される面材と、を備え、前記框体は、前記外表面材の内面に室外側見付け面が接着固定されると共に、前記内表面材の内面に室内側見付け面が固着され、前記面材の室外側側面を保持する額縁部材と、前記額縁部材の室内側に装着され、前記面材の室内側側面を保持する押縁と、を有することを特徴とする。
【０００８】
このような構成によれば、当該ドアは採光部で面材を保持する框体を額縁部材と押縁とで構成している。この際、額縁部材は、その室内外見付け面が内外表面材の内面にそれぞれ固着されるため、ドアの構造材の一部として機能して十分な強度を有する。従って、このような額縁部材に押縁を装着することで面材を強固に且つ確実に保持できる。その結果、ねじ等を用いることなく面材を保持可能な框体を構築でき、額縁部材及び押縁を樹脂材料で形成して高い断熱性能を確保できる。また、額縁部材と押縁との間に連結用のねじを用いる必要がないため、このねじを覆い隠すための化粧材が不要であり、コストを低減できる。さらに、当該ドアは押縁を取り外すことで容易に面材を交換でき、メンテナンス性も確保できる。
【０００９】
本発明に係るドアにおいて、前記額縁部材は、前記内表面材の内面に固定され、その表面が前記室内側見付け面となる内側固定片を有し、前記押縁は、前記内側固定片が固着された前記内表面材の端部と前記内側固定片とを挟み込んだ状態で、前記内表面材の端部と前記内側固定片とに対して係合される係合部を有する構成であってもよい。そうすると、押縁は額縁部材だけでなく、例えば鋼製の内表面材に対しても係合された状態で装着される。このため、押縁の装着強度が一層向上する。
【００１０】
本発明に係るドアにおいて、前記係合部は、前記内表面材の外面に沿って延びて該外面に当接配置される係合片と、該係合片との間に前記内表面材の端部と前記内側固定片とを挟み込んだ状態で前記内側固定片の端部に係止される係合爪と、を有する構成であってもよい。そうすると、押縁を見込み方向に移動させて係合部を額縁部材に対して係合させることができ、装着作業が容易となる。
【００１１】
本発明に係るドアにおいて、前記押縁は、前記係合部が前記内表面材及び前記内側固定片に対して係合した状態で、前記内側固定片よりも室外側へと突出する突出片を有し、前記額縁部材は、前記突出片に対して前記開口部の内周側から当接する当接片を有する構成であってもよい。そうすると、押縁が面材を保持する方向から逆方向に回動して脱落することを突出片と当接片の当接作用で防止することができ、押縁による面材の保持強度が向上する。
【００１２】
本発明に係るドアにおいて、当該ドアを前記額縁部材の長手方向と直交する方向で切断した断面で見た場合に、前記係合片は、前記額縁部材と前記断熱材との境界に重なる位置まで前記内表面材の外面に沿って延在した構成であってもよい。そうすると、内表面材の内面側での異種材料である断熱材と額縁部材との境界に起因して生じる可能性のある内表面材のしわや段差を係止片で隠すことができる。
【発明の効果】
【００１３】
本発明によれば、採光部での高い断熱性能とメンテナンス性が確保される。
【図面の簡単な説明】
【００１４】
【図１】本発明の一実施形態に係るドアの姿図であり、図１（Ａ）は、ドアを室外側から見た背面図であり、図１（Ｂ）は、ドアを室内側から見た正面図である。
【図２】図１（Ｂ）中のＩＩ−ＩＩ線に沿う断面図である。
【図３】図１（Ｂ）中のＩＩＩ−ＩＩＩ線に沿う断面図である。
【発明を実施するための形態】
【００１５】
以下、本発明に係るドアについて好適な実施の形態を挙げ、添付の図面を参照しながら詳細に説明する。
【００１６】
図１は、本発明の一実施形態に係るドア１０の姿図であり、図１（Ａ）は、ドア１０を室外側から見た背面図であり、図１（Ｂ）は、ドア１０を室内側から見た正面図である。図２は、図１（Ｂ）中のＩＩ−ＩＩ線に沿う断面図である。図３は、図１（Ｂ）中のＩＩＩ−ＩＩＩ線に沿う断面図である。本実施形態に係るドア１０は、例えば建物の内外を仕切る外壁の開口部に取り付けされたドア枠に対して開閉可能に支持される玄関ドアである。本発明は、玄関ドア以外のドアにも適用可能である。
【００１７】
図１〜図３に示すように、ドア１０は、室内側に配置される外表面材１２と、室外側に配置される内表面材１４との間に断熱材１６を配設した断熱ドアである。各表面材１２，１４は薄い鋼板で構成されている。外表面材１２と内表面材１４とは、その外周縁部に沿って延在した枠状の骨材を互いの間に挟み込んだ状態で連結される。断熱材１６は、例えば発泡スチロールや発泡ウレタンであり、各表面材１２，１４の内面１２ａ，１４ａに接着固定されている。ドア１０は、室内外で光を透過する採光部１８を有する。本実施形態の場合、採光部１８は、ドア１０の幅方向中央で上下方向に延在する縦長形状である。採光部１８の形状や配置、設置数は変更可能である。
【００１８】
図２及び図３に示すように、採光部１８は、各表面材１２，１４を室内外方向に貫通する開口部２０に配置されている。採光部１８は、開口部２０を囲むように配置される框体２２と、框体２２に支持されて開口部２０に配置された面材２４とを備える。
【００１９】
面材２４は、一対のガラス板２４ａ，２４ｂをスペーサ２４ｃで間隔を隔てて対面配置した複層ガラスである。面材２４は、その外周縁部が框体２２によって支持される。面材２４は、ガラス板２４ａ，２４ｂに代えて樹脂等のパネル材を用いた構成でもよく、単層或いは３層以上の構成でもよい。
【００２０】
本出願において、見込み方向とはドア１０の室内外方向、つまり室内側から室外側に向かう方向又はその逆方向（図中に矢印Ｚで示す方向）をいい、見込み面とは見込み方向に沿って延在する面をいう。見付け方向とは見込み方向に直交する方向であり、上下方向に長尺な縦框２２ｃ等の場合はその長手方向に直交する左右方向（図中に矢印Ｘで示す方向）をいい、左右方向に長尺な上框２２ａ等の場合はその長手方向に直交する上下方向（図中に矢印Ｙで示す方向）をいう。見付け面とは見付け方向に沿った面をいう。枠状部材の内側（内周）とは、例えば框体２２の枠内部分（開口部）をいう。枠状部材の外側（外周）とは、例えば框体２２の表面材１２，１４に固定される枠外部分をいう。
【００２１】
框体２２は、上框２２ａ、下框２２ｂ及び左右の縦框２２ｃ，２２ｄを框組みして面材２４を保持した枠状部材である。本実施形態の場合、各框２２ａ〜２２ｄは、塩化ビニル樹脂（ＰＶＣ）等の樹脂製の押出形材であり、同一の断面形状となっている。各框２２ａ〜２２ｄは、額縁部材２６と、押縁２８とを有する。
【００２２】
額縁部材２６は、外側固定片２６ａと、内側固定片２６ｂと、中間壁２６ｃとを有し、対向する辺（外側固定片２６ａ、内側固定片２６ｂ）の長さが異なる断面略コ字状に形成されている。
【００２３】
外側固定片２６ａは、面材２４の室外側で開口部２０の内側に向かって突出し、面材２４の室外側側面となるガラス板２４ａの外面を保持する。外側固定片２６ａは、外表面材１２の開口部２０側の端部１２ｂと接着固定される。すなわち外側固定片２６ａは、その室外側見付け面３０が端部１２ｂの内面１２ａと接着材で固着される。外表面材１２の端部１２ｂは、断熱材１６の開口部２０側の端面１６ａよりも開口部２０の内側へと突出した部分である。端部１２ｂの先端は、室内側に向かって屈曲されている。
【００２４】
内側固定片２６ｂは、面材２４の室内側で開口部２０の内側に向かって突出している。内側固定片２６ｂは、外側固定片２６ａよりも短く形成されており、面材２４の室内側側面となるガラス板２４ｂの外面まで届いていない。内側固定片２６ｂは、内表面材１４の開口部２０側の端部１４ｂと接着固定される。すなわち内側固定片２６ｂは、その室内側見付け面３１が端部１４ｂの内面１４ａと接着材で固着される。内表面材１４の端部１４ｂは、断熱材１６の開口部２０側の端面１６ａよりも開口部２０の内側へと突出した部分であり、外表面材１２の端部１２ｂよりも短い。
【００２５】
中間壁２６ｃは、見込み方向に沿って配置され、外側固定片２６ａと内側固定片２６ｂとの間を繋いでいる。中間壁２６ｃは、断熱材１６の端面１６ａと対面配置される。本実施形態の場合、中間壁２６ｃと端面１６ａとの間には僅かな隙間Ｇを設けているが、中間壁２６ｃと端面１６ａとは当接していてもよく、互いに接着固定されていてもよい。中間壁２６ｃの内面には、開口部２０の内側に向かって突出した後、室内側へと屈曲した当接片２６ｄが設けられている。
【００２６】
押縁２８は、面材保持部３４と、係合部３６と、突出片３８とを有する。押縁２８は、額縁部材２６の室内側に装着される。
【００２７】
面材保持部３４は、面材２４の室内側で開口部２０の内側に向かって突出し、面材２４の室内側側面となるガラス板２４ｂの外面を保持する。框体２２は、面材保持部３４と額縁部材２６とで面材２４の外周縁部を収容保持する開口溝を形成する。
【００２８】
係合部３６は、内表面材１４の端部１４ｂと額縁部材２６の内側固定片２６ｂとをまとめて挟み込んだ状態で、内表面材１４の端部１４ｂと内側固定片２６ｂとに対して係合可能な凹状部である。係合部３６は、係合片３６ａと、係合爪３６ｂとを有する。係合片３６ａは、面材保持部３４の室内側見付け面を内表面材１４の外面１４ｃに沿って開口部２０の外側へと延ばした形状である。係合片３６ａは、その先端の凸部３６ｃを介して外面１４ｃに当接配置される。凸部３６ｃは、係合片３６ａの先端から室外側へと突出している。係合爪３６ｂは、面材保持部３４の外側見込み面から開口部２０の外側に向かって突出している。係合爪３６ｂは、係合片３６ａとの間に内表面材１４の端部１４ｂと内側固定片２６ｂとを挟み込んだ状態で内側固定片２６ｂの端部に係止される。
【００２９】
これにより、押縁２８は、額縁部材２６と同時に例えば鋼製の内表面材１４に対しても係合された状態で装着される。このため、押縁２８の装着強度が向上し、面材２４の保持強度が向上する。しかも内表面材１４の開口部２０に面した端部１４ｂの小口が押縁２８によって覆い隠される。このため、ドア１０の意匠性が向上する。
【００３０】
図２及び図３の断面図で示すように、係合片３６ａは、額縁部材２６と断熱材１６の境界、つまり中間壁２６ｃと端面１６ａとの間の隙間Ｇに重なる位置まで内表面材１４の外面１４ｃに沿って延在している。本実施形態の場合は、凸部３６ｃが図２中のＹ方向或いは図３中のＸ方向で中間壁２６ｃと端面１６ａとの隙間Ｇに重なる位置に配置されている。すなわち、異種材料である断熱材１６と額縁部材２６とが接着された内表面材１４の内面１４ａでは、これら異種材料の境界である隙間Ｇ付近で内表面材１４がしわや段差を生じる可能性がある。そこで、本実施形態では、このしわや段差を係合片３６ａによって覆い隠すことができる。
【００３１】
突出片３８は、面材保持部３４の外側見込み面にある係合爪３６ｂから室外側に向かって突出している。突出片３８は、係合部３６が内表面材１４及び内側固定片２６ｂに対して係合した状態で、内側固定片２６ｂよりも室外側へと突出する。突出片３８は、額縁部材２６の当接片２６ｄに対し、開口部２０の外側となる方向から当接する。換言すれば、当接片２６ｄは、突出片３８の見込み面に対して開口部２０の内周側から当接する。これにより、押縁２８が面材２４に対して口開きをする方向に回動する脱落を防止できる。すなわち、例えば図２中の上框２２ａにおいて、押縁２８が係合部３６を回動軸とし、面材保持部３４が面材２４から離間する室内側に回動しようとすると、突出片３８が当接片２６ｄに係止されてこの回動が阻止される。同時に、係合片３６ａの凸部３６ｃが内表面材１４の外面１４ｃに係止されてより確実に押縁２８の回動が規制される。つまり押縁２８の脱落方向への力をＸ方向とＺ方向の２方向に分散して支えることができ、面材２４の保持強度が向上する。なお、他の框２２ｂ〜２２ｄにおいても押縁２８は突出片３８や係合片３６ａによって同様に回動規制されている。
【００３２】
各框２２ａ〜２２ｄの額縁部材２６及び押縁２８は、例えば所定長さで４５度に切断された端部同士が適宜突き合わされ、溶着されることで互いに接合されてそれぞれが枠状に構成される。そこで、押縁２８を額縁部材２６に装着する際は、枠状に構成されて開口部２０の周囲に固着された額縁部材２６に対して面材２４を配置し、同じく枠状に構成された押縁２８を室内側から室外側に向かって押し込む。そうすると、押縁２８は、突出片３８が当接片２６ｄの外側見込み面に摺接しつつ、係合爪３６ｂの室外側の傾斜面が内表面材１４の端部１４ｂと内側固定片２６ｂとを乗り越える。その結果、係合爪３６ｂが内側固定片２６ｂの端部に係止され、係合片３６ａが内表面材１４の外面１４ｃに当接し、係合部３６が額縁部材２６（及び内表面材１４）に係合装着される。勿論、各框２２ａ〜２２ｄの押縁２８は、それぞれ個別に装着されてもよい。
【００３３】
このような構成のドア１０では、採光部１８で面材２４を保持する框体２２を額縁部材２６と押縁２８とで構成している。この際、額縁部材２６は、外側固定片２６ａの室外側見付け面３０が外表面材１２の内面１２ａに接着固定され、内側固定片２６ｂの室内側見付け面３１が内表面材１４の内面１４ａに接着固定される。これにより、額縁部材２６はドア１０の構造材の一部として機能して十分な強度を有する。従って、このような額縁部材２６に押縁２８を装着することで面材２４を強固に且つ確実に保持できる。その結果、従来技術のようにねじ等を用いることなく面材２４を保持可能な框体２２を構築でき、額縁部材２６及び押縁２８を樹脂材料で形成して高い断熱性能を確保できると共に、ねじを隠すための化粧材を設ける必要もない。このため、ドア１０は部品点数を減らしてコストを低減することができる。しかもドア１０は、押縁２８を取り外すことで容易に面材２４を交換することができるため利便性も確保できる。
【００３４】
なお、本発明は、上記した実施形態に限定されるものではなく、本発明の主旨を逸脱しない範囲で自由に変更できることは勿論であり、採光部の形態も縦長や三角形、円形等任意である。
【符号の説明】
【００３５】
１０  ドア、１２  外表面材、１２ａ，１４ａ  内面、１２ｂ，１４ｂ  端部、１４  内表面材、１４ｃ  外面、１６  断熱材、２０  開口部、２２  框体、２２ａ  上框、２２ｂ  下框、２２ｃ，２２ｄ  縦框、２４  面材、２６  額縁部材、２６ａ  外側固定片、２６ｂ  内側固定片、２６ｃ  中間壁、２６ｄ  当接片、２８  押縁、３０  室外側見付け面、３１  室内側見付け面、３４  面材保持部、３６  係合部、３６ａ  係合片、３６ｂ  係合爪、３６ｃ  凸部、３８  突出片
【図１】
2019015060.tif 000003
【図２】
2019015060.tif 000004
【図３】
2019015060.tif 000005